【手続補正書】
【提出日】平成20年9月12日(2008.9.12)
【手続補正１】
【補正対象書類名】明細書
【補正対象項目名】特許請求の範囲
【補正方法】変更
【補正の内容】
【特許請求の範囲】
【請求項１】  少なくとも２つの端末へ信号を運ぶための合成電磁場を生成する方法であって、前記方法が複数の方向へエネルギーを方向付けるステップを含み、
各端末の方向へ方向付けられるべきエネルギー量が少なくとも２つの端末の位置及び許容受信強度の関数で、
前記方向は方位角方向で、
端末の許容受信強度が、電磁場により運ばれる信号を受信するために端末に必要な電磁場強度と少なくとも同じで、しかし著しく大きくは無い大きさの電磁場強度を含み、
前記方向付けるステップは、
各端末について、１つの端末の位置において、その他の端末の事前に決定された電磁場強度を考慮し、そこでの許容受信強度を提供するために生成される必要のある前記１つの端末のための電磁場を決定する第１の決定ステップ、
少なくとも２つの端末の決定されるべき電磁場が、前記少なくとも２つの端末各々の適切な受信強度に実際等しい電磁場強度を提供するまで、前記第１の決定ステップを繰り返す繰り返しステップ、そして、
そのように決定された電磁場に基づき、各端末の方向へ前記方向付けられるべきエネルギー量を決定する第２の決定ステップを含むことを特徴とする方法。
【請求項２】  各電磁場は複数のビームパターンの１つによって表現され、
前記第１の決定ステップは、１つの端末の位置において、その他の端末の事前に決定されたビームパターンの電磁場強度を考慮し、前記１つの端末に関して、そこでの許容受信強度を提供するために生成される必要のある前記各端末のビームパターンを決定するステップを含み、
前記繰り返しステップは、少なくとも２つの端末について決定されるべき電磁場が、前記少なくとも２つの端末各々の適切な受信強度に実際等しい電磁場強度を提供するまで、前記第１の決定ステップを繰り返すステップを含む請求項１記載の方法。
【請求項３】  前記ビームパターンが電圧ビームパターンで、
前記許容受信強度は許容受信電圧で、そして、
前記適切な受信強度は適切な受信電圧である請求項２記載の方法。
【請求項４】  複数の重みベクトルの１つが前記ビームパターンの各々に対応し、
前記第２の決定ステップが、
ヌル充填ファクタ及び前記複数の重みベクトルを用いて合成重みベクトルを決定するステップ、
前記合成重みベクトルを用いて、前記合成電磁場を表現する合成ビームパターンを決定するステップ、
前記合成電磁場に基づき、各端末の方向へ、前記方向付けられるべきエネルギー量を決定するステップを含む請求項２記載の方法。
【請求項５】  前記第２の決定ステップで決定されたエネルギー量を送信するステップをさらに含む請求項１記載の方法。
【請求項６】  少なくとも２つの端末へ信号を運ぶための合成電磁場を生成する方法であって、前記方法が複数の方向へエネルギーを方向付けるステップを含み、
各端末の方向へ方向付けられるべきエネルギー量が少なくとも２つの端末の位置及び許容受信強度の関数であり、
前記方向は方位角方向で、
端末の許容受信強度が、電磁場により運ばれる信号を受信するために端末に必要な電磁場強度と少なくとも同じで、しかし著しく大きくは無い大きさの電磁場強度を含み、
前記方向付けるステップは、
各端末について、１つの端末が信号を受信する必要のある最適の端末であった場合、そこでの許容受信強度を提供するために、前記１つの端末の生成される必要のある電磁場を決定するステップ、
少なくとも２つの端末に関係し、そのスケーリングファクタによってスケーリングされる各電磁場が、これら少なくとも２つの端末の各々の位置における、端末自身の適切な受信強度に実際等しい電磁場強度を提供するような、各電磁場のスケーリングファクタを決定するステップ、
少なくとも２つの端末に関係し、そのスケーリングファクタによって各電磁場をスケーリングするステップ、そして、
そのように決定された電磁場に基づき、各端末の方向へ方向付けられるべきエネルギー量を決定するステップを含むことを特徴とする方法。
【請求項７】  複数の方向へエネルギーを方向付けることにより少なくとも２つの端末へ信号を運ぶための合成電磁場を生成する送信機であって、各端末の方向へ方向付けれれるべきエネルギー量は、少なくとも２つの端末の位置及び許容受信強度の関数で、
前記方向は方位角方向で、
端末の許容受信強度は、電磁場により運ばれる信号を受信するために端末に必要な電磁場強度と少なくとも同じで、しかし著しく大きくは無い大きさの電磁場強度を含み、
前記送信機は、
第１の決定ステップとして、各端末について、１つの端末の位置において、その他の端末の事前に決定された電磁場強度を考慮し、そこでの許容受信強度を提供するために生成される必要のある前記１つの端末のための電磁場を決定し、
繰り返しステップとして、少なくとも２つの端末の決定されるべき電磁場が、前記少なくとも２つの端末各々の適切な受信強度に実際等しい電磁場強度を提供するまで、前記第１の決定ステップを繰り返し、
第２の決定ステップとして、そのように決定された電磁場にもとづき、各端末の方向へ方向付けられるべきエネルギー量を決定
する第１のモードを有する処理装置をさらに含むことを特徴とする送信機。
【請求項８】  各電磁場は複数のビームパターンの１つにより表現され、
前記第１の決定ステップは、１つの端末の位置において、その他の端末の事前に決定されたビームパターン電磁場強度を考慮し、前記１つの端末に関して、そこでの許容受信強度を提供するために生成される必要のある前記各端末のビームパターンを決定するステップを含み、そして、
前記繰り返しステップは、少なくとも２つの端末の決定されるべきビームパターンが、少なくとも２つの端末各々の適切な受信強度に実際に等しい、電磁場強度を提供するまで、前記第１の決定ステップを繰り返すステップを含む請求項７記載の送信機。
【請求項９】  前記ビームパターンが電圧ビームパターンで、
前記許容受信強度が許容受信電圧で、そして、
前記適切な受信強度は適切な受信電圧である請求項８記載の送信機。
【請求項１０】  複数の重みベクトルの１つが前記ビームパターンの各々に対応し、前記第２の決定ステップが、
ヌル充填ファクタおよび前記複数の重みベクトルを用いて合成重みベクトルを決定するステップ、
前記合成重みベクトルを用いて、前記合成電磁場を表現する合成ビームパターンを決定するステップ、そして、
前記合成電磁場に基づき、各端末の方向へ、方向付けられるべきエネルギー量を決定するステップを含む請求項８記載の送信機。
【請求項１１】  前記処理装置は前記第１のモード、および第２のモードのうちの１つだけで動作し、
前記第２の動作モードでは、処理装置が、
各端末について、１つの端末が信号を受信する必要のある最適の端末であった場合、そこでの許容受信強度を提供するために、前記１つの端末の生成される必要のある電磁場を決定し、
少なくとも２つの端末に関係し、各電磁場のスケーリングファクタによってスケーリングされる各電磁場が、これら少なくとも２つの端末の各々の位置における、各端末の適切な受信強度に実際等しい電磁場強度を提供するような、各電磁場のスケーリングファクタを決定し、
前記少なくとも２つの端末に関係し、各電磁場のスケーリングファクタによって各電磁場をスケーリングし、そして、
そのように決定された電磁場に基づき、各端末の方向へ方向付けられるべきエネルギー量を決定するように動作することを特徴とする請求項７記載の送信機。
【請求項１２】  複数の方向へエネルギーを方向付けることにより、少なくとも２つの端末へ信号を運ぶための合成電磁場を生成する送信機を含むシステムであって、各端末の方向へ方向付けられるべきエネルギー量が少なくとも２つの端末の位置及び許容受信強度の関数で、
前記方向は方位角方向で、
端末の許容受信強度が、電磁場により運ばれる信号を受信するために、端末に必要な電磁場強度と少なくとも同じで、しかし著しく大きくは無い大きさの電磁場強度を含み、
前記システムは前記送信機へ結合する処理装置を含み、
前記処理装置は、
第１の決定ステップとして、各端末について、１つの端末の位置において、その他の端末の事前に決定された電磁場強度を考慮し、そこでの許容受信強度を提供するために生成される必要のある前記１つの端末のための電磁場を決定し、
繰り返しステップとして、少なくとも２つの端末の決定されるべき電磁場が、前記少なくとも２つの端末各々の適切な受信強度に実際に等しい電磁場強度を提供するまで、前記第１の決定ステップを繰り返し、そして、
第２の決定ステップとして、そのように決定された電磁場に基づき、各端末の方向へ方向付けられるべきエネルギー量を決定
するように動作することを特徴とするシステム。
【請求項１３】  前記処理装置が前記送信機の中に組み込まれている請求項１２記載のシステム。
【請求項１４】  前記システムが少なくとも１つの移動交換局（ＭＳＣ）を有する無線通信システムであって、前記処理装置がＭＳＣの中に組み込まれている請求項１２記載のシステム。
【請求項１５】  各電磁場が複数のビームパターンの１つにより表現され、
前記第１の決定ステップは、各端末について、１つの端末の位置において、その他の端末の事前に決定されたビームパターンの電磁場強度を考慮し、そこでの許容受信強度を提供するために生成される必要のある前記１つの端末のためのビームパターンを決定するステップを含み、
前記繰り返しステップは、少なくとも２つの端末の決定されるべきビームパターンが、前記少なくとも２つの端末各々の適切な受信強度に実際等しい電磁場強度を提供するまで、前記第１の決定ステップを繰り返すことを含む請求項１２記載のシステム。
【請求項１６】  前記ビームパターンが電圧ビームパターンで、
前記許容受信強度が許容受信電圧で、そして、
前記適切な受信強度が適切な受信電圧である請求項１５記載のシステム。
【請求項１７】  複数の重みベクトルの１つが前記ビームパターンの１つに対応し、前記第２の決定ステップが、
ヌル充填ファクタ及び前記複数の重みベクトルを用いて合成重みベクトルを決定するステップ、
前記合成重みベクトルを用いて、前記合成電磁場を表現する合成ビームパターンを決定するステップ、そして、
前記合成電磁場に基づき、各端末の方向へ、方向付けられるべきエネルギー量を決定するステップを含む請求項１５記載のシステム。
【請求項１８】  複数の方向へエネルギーを方向付けることにより少なくとも２つの端末へ信号を運ぶための合成電磁場を生成する送信機を含むシステムであって、
各端末の方向へ方向付けれられるべきエネルギー量が、少なくとも２つの端末の位置及び許容受信強度の関数で、
前記方向は方位角方向で、
端末の許容受信強度が、電磁場により運ばれる信号を受信するための端末に必要な電磁場強度に少なくとも同じで、しかし著しくは大きくは無い大きさの電磁場強度を含み、
前記システムが前記送信機に結合する処理装置をさらに含み、
前記処理装置は、
各端末について、１つの端末が信号を受信する必要のある最適の端末であった場合、そこでの許容受信強度を提供するために、前記１つの端末の生成される必要のある電磁場を決定し、
少なくとも２つの端末に関係し、各電磁場のスケーリングファクタによってスケーリングされる各電磁場が、これら少なくとも２つの端末の各々の位置における、各端末の適切な受信強度に実際に等しい電磁場強度を提供するような、各電磁場のスケーリングファクタを決定し、
少なくとも２つの端末に関係し、各電磁場のスケーリングファクタによって各電磁場をスケーリングし、そして、
そのように決定された電磁場に基づき、各端末の方向へ方向付けられるべきエネルギー量を決定するように動作する、ことを特徴とするシステム。